(57)【要約】　　　（修正有）【課題】　差し込まれたプラグが揺動し栓刃が傾倒したとき、該栓刃が栓刃挿入孔の周縁を破損しない２極接地極付コンセントを提供する。【解決手段】　ケース本体２１の表面に、長円形のプラグ受部２８を突設して、これに一対の栓刃挿入孔２４，２４及び接地極用の栓刃挿入孔２５を設けるとともに、そのうちの前記接地極用の栓刃挿入孔２５は、前記プラグ受部２８の側端部に位置し且つ該プラグ受部２８の側壁を切欠し側方に開口した構成とする。【選択図】　図３
0003099898.tif 000002
【実用新案登録請求の範囲】
【請求項１】
　ケース本体の表面に、給電用の一対の栓刃挿入孔と接地極用の栓刃挿入孔を備えたものにおいて、
　前記各栓刃挿入孔は、前記ケース本体の表面に突設した長円形のプラグ受部に設けるとともに、そのうち前記接地極用の栓刃挿入孔は、前記プラグ受部の側端部に位置し且つ該プラグ受部の側壁を切欠し側方に開口した構成としたことを特徴とする２極接地極付コンセント。
【請求項２】
　プラグ受部に設けた一対の栓刃挿入孔と接地極用の栓刃挿入孔とを１組として、これを複数組同配置に並設したことを特徴とする請求項１記載の２極接地極付コンセント。
【考案の詳細な説明】
【技術分野】
【０００１】
　本考案は、２極接地極付コンセントに関する。
【背景技術】
【０００２】
　従来より、２極接地極付コンセントとして種々の形態のものが提供されているが、そのうちでも埋め込みタイプの一例としては図４，５に示される構成の複式コンセントが広く普及している。その図４は平面図、図５は同要部を一部破断した側面図で、これら図面に示すように、該コンセントのケース本体１は、表面側のカバー２と裏面側のボディ３とを組み合わせた構成からなり、該ケース本体１の表面たるカバー２には、給電用の板状のプラグ栓刃１４（図５中、二点鎖線で示す）を挿入する矩形細長形状の一対の栓刃挿入孔４，４と、接地極用の円筒状栓刃１３（図５中、二点鎖線で示す）を挿入する栓刃挿入孔５とを１組として、２組（以下、説明の便宜上第１及び第２のコンセント部８，９とも称する）並設するとともに、各栓刃挿入孔４，５は使い勝手の点からも方向性など同配置とした構成にある。
【０００３】
　一方、裏面側のボディ３には、上記一対の栓刃挿入孔４，４に対応した位置に給電用の一対の刃受ばね６、及び接地極用の刃受ばね７が夫々設けられ、所謂２極接地極付の構成を１組として２組並設し、これらにプラグ１２側の各栓刃１３，１４を挿入することで、該栓刃を挟持するごとく圧接支持する構成としている。そして、このボディ３に取着されケース本体１の背面に沿った形状のプレート１０を備え、該プレート１０の側方に延びた両端部に取付穴１０ａを設けている。
【０００４】
　加えて、前記カバー２に形成した上記第１，第２のコンセント部８，９は、夫々長円形の同一形状にて突設されたプラグ受部１１に設けられている。このプラグ受部１１は、前記プレート１０を介して図示しない取付壁面等に取付固定したとき、該壁面より突出して露出するようにし、プラグ１２の差し込み操作を容易にするとともに、該プラグ１２と当接する受面としている。
【０００５】
　しかるに、この種複式コンセントは市販に供するにはＪＩＳ規格で各部の主要寸法が定められており、例えば定格電流１５アンペア（Ａ）の埋め込みタイプのコンセントは、ＪＩＳＣ８３０３によれば、プレート１０を含むケース本体１の長手方向の寸法Ａは７２ｍｍ以下、プレート１０の取付穴１０ａのピッチ間隔Ｂは８３．５±０．４ｍｍ、幅寸法Ｃは４３ｍｍ以下、第１、第２のコンセント部８，９のピッチ間隔Ｄは３９．５±０．５ｍｍ、及びプラグ受部１１の突出高さＥはプレート１０から約６ｍｍ、等々定められており、その他長円形のプラグ受部１１の短径寸法Ｆが２７．５±０．２ｍｍ、及び開示しないが長径側の寸法や本体ケース１の高さ寸法等が規定されている。
【０００６】
　そのうち、特に長さ方向に関連する規定（上記寸法Ａ，Ｂ，Ｄ，Ｆ等）の規制は、接地極用の栓刃挿入孔５の配置条件を制約することになり、栓刃挿入孔５の側端部は、各プラグ受部１１の長円形の短径側である右側壁の一部が直接栓刃挿入孔５に連続した構成となし、従って該側壁の厚み（例えば約２ｍｍ）でもって栓刃挿入孔５の一部孔壁を兼ねた形態となすなどして、上記ＪＩＳ規格をクリヤーしている。その他、この種複式コンセントは上記ＪＩＳ規格に準じてやはりコンパクトに製作され実用に供されているが、通常接地極用の栓刃挿入孔５はプラグ受部１１の側端部に配置された構成としている（例えば、特許文献１参照）。
【特許文献１】実用新案登録第３０２３４８５号公報（図１，５参照）
【考案の開示】
【考案が解決しようとする課題】
【０００７】
　ところで、コンセントのケースの材料としては、電気絶縁性や成形性に富んだフェノール樹脂やユリア樹脂などの熱硬化性樹脂が多く採用されている。しかしながら、当該樹脂は脆くて割れ易いという強度上の難点も有している。
　しかして、上記構成のコンセントは建造物の壁面やケーブルドラム（例えば、特許文献１の図３参照）などに内蔵して用いられているが、その実用に際してプラグ１２を挿脱操作する場合に、接地極用の栓刃挿入孔５周縁たる一部孔壁を兼ねた側壁を破損する問題を抱えている。
【０００８】
　これは、例えば図５に示すようにコンセントに差し込まれ保持されたプラグ１２を抜脱する際に、栓刃挿入孔４の長手方向である図中矢印Ｇ（具体的には矢印Ｇ1，Ｇ2方向）で示す左右方向に揺動し易く、このためプラグ１２の接地極用の栓刃１３が特に矢印Ｇ2方向に倒れた場合、栓刃挿入孔５周縁に直接押圧力が作用し、該栓刃挿入孔５の孔壁を兼ねたプラグ受部１１の右側壁は、当該右側壁を支える部位が周囲にはなく、且つ厚みも約２ｍｍ程度と薄いため、図６に破片１１ａで示すように容易に欠損する。このような破損は、その外観を大いに損ね、また大きなクラックのもとに大きく破損した場合には内部が露出する憂いも生じ、電気的な安全性の面においても好ましくない。
【０００９】
　また、比較的小さな破片が生じた場合には、刃受ばね７部分に侵入して、該当の栓刃１３の挿入が不完全となったり、或は接触不良を起す問題を有している。しかも、差し込まれたプラグ１２は、一対の栓刃挿入孔４，４の長手方向（矢印Ｇ方向）に沿って揺動し易いことから、該プラグ１２の接地極用の栓刃１３の倒れは、栓刃挿入孔５周縁たる強度的に弱い右側壁と当接し易く、上記破損問題は避け難い事情下にあり、使用者より改善要求が出されていた。
　本考案は上記事情に鑑みて、側端部に位置する接地極用の栓刃挿入孔周縁の破損問題を解消し、良好な外観を維持できる２極接地極付コンセントを提供することを目的とする。
【課題を解決するための手段】
【００１０】
　本考案の２極接地極付コンセントは、上記問題点を解決するために、ケース本体の表面に、給電用の一対の栓刃挿入孔と接地極用の栓刃挿入孔を備えたものにおいて、前記各栓刃挿入孔は、前記ケース本体の表面に突設した長円形のプラグ受部に設けるとともに、そのうち前記接地極用の栓刃挿入孔は、前記プラグ受部の側端部に位置し且つ該プラグ受部の側壁を切欠し側方に開口した構成としたことを特徴とする（請求項１の考案）。
【００１１】
　そして、請求項１記載のものにおいて、プラグ受部に設けた一対の栓刃挿入孔と接地極用の栓刃挿入孔とを１組として、これを複数組同配置に並設したことを特徴とする（請求項２の考案）。
【考案の効果】
【００１２】
　本考案の２極接地極付コンセントは、上記請求項１記載の構成によれば、従来脆弱であった接地極用の栓刃挿入孔の周縁たる側壁を切欠して開口したので、該側壁に当接することがなく破損する問題を解消できた。これにより、破片が刃受ばね部分に侵入して、栓刃の挿入が不完全となったり、接触不良を起すおそれも解消できるとともに、コンパクトな構成のもとに長期の実用に際して外観も良好に維持できる２極接地極付コンセントを提供できる。
【００１３】
　そして、請求項２記載の構成によれば、複数のコンセント部に相応してケース本体の破損該当個所も増えるのであるが、何ら破損の憂いなく実施できる。
【考案を実施するための最良の形態】
【００１４】
　以下、本考案の２極接地極付コンセントを埋め込みタイプの複式コンセントに適用した一実施例につき、図１〜図３を参照して説明する。
　そのうち、図１はコンセントの平面図、図２は要部を破断して示す側面図、及び図３は外観斜視図で、図示するように該コンセントの全体構成は、実質的に従来構成とほぼ共通の条件による構成からなるので、その共通部分については略記する。
【００１５】
　図示するように複式コンセントは、カバー２２とボディ２３とを組み合わせてなるケース本体２１に、一対の栓刃挿入孔２４，２４と、接地極用の栓刃挿入孔２５とを１組とした、２組たる第１及び第２のコンセント部２６，２７を左右に並設した構成にある。そして、一対の栓刃挿入孔２４，２４は細長形状にあるのに対し、接地極用の栓刃挿入孔２５は一部直線部（後述するプラグ受部２８の短径側）を有する円形状をなしていて、これら２組の各栓刃挿入孔２４，２５は使い勝手の点からも方向性など含め全て同配置とした構成としている。
【００１６】
　加えて、ケース本体２１の表面に設けた上記第１，第２のコンセント部２６，２７は、前記カバー２２の表面に夫々長円形の同一形状にて突設された２個所のプラグ受部２８に設けられている。このプラグ受部２８は、従来と同様ＪＩＳ規格に謂う後述するプレート３３の基準面より所定寸法突出され、壁面等に埋め込みにより内蔵した取付状態において、当該プラグ受部２８が外表面に突出し、少なくとも露出した形態に維持され、後述するプラグ３４の挿脱操作を容易に行なえるようにしている。尚、その他のＪＩＳ規格寸法についても従来と同様につき説明は省略する。
【００１７】
　斯くして、各プラグ受部２８において一対の栓刃挿入孔２４は図示左側に配置され、接地極用の栓刃挿入孔２５は右側に配置される。特に、接地極用の栓刃挿入孔２５周縁の右側端部は、プラグ受部２８の突出した側壁と直接連続する構成となるが、本実施例では該当するプラグ受部２８の側壁部分を切欠して、側方（図示右方向）に開口した切欠部２８ａを有する構成としている。従って、接地極用の栓刃挿入孔２５は、切欠部２８とともに突出した各プラグ受部２８において、表面（図示上方）及び側方（図示右側方）に連続して開口した形状をなしている。
【００１８】
　一方、前記ボディ２３内には、前記した各栓刃挿入孔２４，２５に対応した位置に刃受ばね２９，３０が夫々設けられ、該ボディ２３は中央部位の取付ねじ３１にて前記カバー２２と結合され、以って２極接地極付の構成を１組として２組並設してなる複式コンセントを構成している。尚、内蔵された接地極用の刃受ばね３０は、ボディ２３背面の左右の取付ねじ３２にて固定される。しかるに、上記各取付ねじ３１，３２は、同時にケース本体２１の背面に沿って設けられた前記プレート３３の取付固定も兼ねている。
【００１９】
　これに対し、図２中には通常に用いられている接地極対応のプラグ３４を二点鎖線で示しており、一対の板状の栓刃３５，３５（１個のみ図示）と、これより長寸で円筒状の接地極用の栓刃３６とを具備しており、各栓刃３５，３６はコンセントのケース本体２１の各栓刃挿入孔２４，２５に合致して挿脱可能としており、その使用形態については以下の作用説明で述べる。
【００２０】
　次に、上記構成の２極接地極付コンセントの作用について述べる。
　埋め込みタイプの複式コンセントとして、図示しない建造物の壁やケーブルドラムに内蔵して設けられ、具体的にはプレート３３の取付穴３３ａを介して壁面等に取付固定される。この場合、ケース本体２１の表面に突設したプラグ受部２８は、取付壁面から一部が突出し露呈した状態となり、該ケース本体２１の大半は埋設される。
【００２１】
　しかして、使用形態としては上記したコンセントの取付状態において、図２に示すように給電用のプラグ３４を第２のコンセント部２７（又は第１のコンセント部２６）に差し込み、或は引き抜くなどの挿脱操作が行なわれる。このプラグ３４の挿脱操作の際、プラグ３４の３本の栓刃３５，３５，３６は、ケース本体２１内の刃受ばね２９，２９，３０の３個所にて確実に圧接挟持されているが、特にプラグ３４を引く抜く場合には栓刃挿入孔２３の長手方向（矢印Ｇ方向）に沿って揺動し易く、これは長円形のプラグ受部２８の短径側方向である。
【００２２】
　ところが、接地極用の栓刃挿入孔２５の右側端部たる孔壁を兼ねた短径側の側壁は、切欠されて切欠部２８ａが形成され、側方に開口していて所謂栓刃挿入孔２５と連続した開口形状をなしている。従って、プラグ３４の接地極用の栓刃３６は左右方向に傾倒し易いのであるが、そのうちの右方向（図２中、矢印Ｇ2方向）に傾倒した場合にあっても、該栓刃３６は栓刃挿入孔２５から切欠部２８ａ内に移動するに止まり、従って栓刃挿入孔２５周縁に当接することなく該プラグ３４の挿脱操作ができる。
【００２３】
　以上説明したように本実施例によれば、次の効果を有する。
　プラグ３４を挿脱する際に、該プラグ３４が左右に揺動するなどして栓刃３６が右方向に傾倒しても、従来脆弱であった栓刃挿入孔２５の周縁たる孔壁を兼ねた右側壁（切欠部２８ａ相当部分）に当接することがないので、これを破損するおそれは生じない。従って、破片が刃受ばね３０部分に侵入して、該当する栓刃３６の挿入が不完全となったり、接触不良を起すおそれも解消できる。勿論、栓刃３６の左方向（矢印Ｇ1方向）への傾倒に対しては、栓刃挿入孔２５の左側の周縁は広いプラグ受部２８に繋がっているので、十分な強度が得られ簡単に破損することはない。
【００２４】
　また、上記使用状態にあっては、側方に開口した切欠部２８ａからは、差し込まれた接地極用の栓刃３６の一部が僅かに外部を臨む状態となるが、これについては電気用品安全法の法令違反とならないことを当該検査機関を通して確認している。以って、本考案の２極接地極付コンセントは、ＪＩＳ規格をクリヤーすることはもとより、そのケース本体２１がやゝ割れ易い性質の熱硬化性樹脂製であっても、美観的にも、又電気的安全性についても何ら損ねることなく長期実用に供することができる。
【００２５】
　尚、本考案は上記し且つ図面に示した実施例に限らず、例えば２組の複式コンセントに限らず１組のコンセント部、或は３組以上の複数のコンセント部を備えたものでも適用できるなど、実施に際して本考案の要旨を逸脱しない範囲で、種々変更して実施できるものである。
【図面の簡単な説明】
【００２６】
【図１】本考案の２極接地極付コンセントの一実施例を示す平面図
【図２】要部を破断して示す側面図
【図３】外観斜視図
【図４】従来例を示す図１相当図
【図５】図２相当図
【図６】作用説明のための要部の斜視図
【符号の説明】
【００２７】
　図面中、２１はケース本体、２２はカバー、２３はボディ、２４，２５は栓刃挿入孔、２６は第１のコンセント部、２７は第２のコンセント部、２８はプラグ受部、２８ａは切欠部、２９，３０は刃受ばね、３３はプレート、３４はプラグ、及び３５，３６は栓刃を示す。
【図１】
0003099898.tif 000003
【図２】
0003099898.tif 000004
【図３】
0003099898.tif 000005
【図４】
0003099898.tif 000006
【図５】
0003099898.tif 000007
【図６】
0003099898.tif 000008